Podtech/llm-jp-corpus-v4-ja_patent huggingface dataset:
【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
インターフェロン耐性腫瘍を処置するための組成物であって、
インターフェロンをコードする組換えベクター
を含む、組成物。
【請求項２】
前記組換えベクターは、アデノウイルスである、請求項１に記載の組成物。
【請求項３】
前記アデノウイルスは、複製欠損性である、請求項２に記載の組成物。
【請求項４】
前記インターフェロンは、インターフェロンαである、請求項３に記載の組成物。
【請求項５】
前記インターフェロンαは、インターフェロンα２ｂ、インターフェロンα２ａ、およびインターフェロンα２α１からなる群より選択される、請求項４に記載の組成物。
【請求項６】
前記腫瘍が腫瘍性膀胱細胞を含むことを特徴とする、請求項５に記載の組成物。
【請求項７】
前記腫瘍細胞が増強剤に曝露されていることを特徴とする、請求項６に記載の組成物。
【請求項８】
前記増強剤は、Ｓｙｎ３である、請求項７に記載の組成物。
【請求項９】
前記ベクターおよび前記増強剤が膀胱上皮へと膀胱内点滴注入されることを特徴とする、請求項８に記載の組成物。
【請求項１０】
前記インターフェロンは、インターフェロンα２ｂである、請求項９に記載の組成物。
【手続補正書】
【提出日】平成19年12月5日(2007.12.5)
【手続補正１】
【補正対象書類名】特許請求の範囲
【補正対象項目名】全文
【補正方法】変更
【補正の内容】
【特許請求の範囲】
【請求項１】
変異的に活性化された変異レセプターチロシンキナーゼの存在により特徴付けられる細胞増殖性疾患に罹患する被験体の処置のための医薬の製造における、ＣＤＫ４インヒビターの使用。
【請求項２】
前記医薬は、変異レセプターチロシンキナーゼインヒビターおよびＭＥＫインヒビターのうちの少なくとも１種と組み合わせて投与するための医薬である、使用。
【請求項３】
前記細胞増殖性疾患が白血病である、請求項１または２に記載の使用。
【請求項４】
前記細胞増殖性疾患が、固形腫瘍の存在により特徴付けられる、請求項１または２に記載の使用。
【請求項５】
前記変異レセプターチロシンキナーゼが、ＰＤＧＦＲチロシンキナーゼスーパーファミリーのメンバーである、請求項１または２に記載の使用。
【請求項６】
前記変異レセプターチロシンキナーゼが、ＰＤＧＦＲα、ＰＤＧＦＲβ、Ｆｌｔ３、ＦＧＦＲ１、ＦＧＦＲ３、Ｒｅｔ、ＡＬＫおよびＥＧＦＲからなる群より選択される、請求項１または２に記載の使用。
【請求項７】
前記被験体が、変異的に活性化された変異レセプターチロシンキナーゼの存在を同定するためにスクリーニングされる、請求項１または２に記載の使用。
【請求項８】
前記被験体が、ヒトである、請求項１または２に記載の使用。
【請求項９】
組成物であって、以下：
ａ）ＣＤＫ４インヒビター；
ｂ）ｉ）変異レセプターチロシンキナーゼインヒビター；および
ｉｉ）ＭＥＫインヒビター
のうちの少なくとも１種；ならびに
ｃ）薬学的に受容可能なキャリア
を含有する、組成物。
【請求項１０】
キットであって、以下：
ａ）ＣＤＫ４インヒビター；ならびに
ｂ）ｉ）変異レセプターチロシンキナーゼのインヒビター；および
ｉｉ）ＭＥＫインヒビター
から選択される少なくとも１種のさらなるインヒビター
を備える、キット。
【請求項１１】
前記ＣＤＫ４インヒビターおよび少なくとも１種のさらなるインヒビターが、単一の処方物中に存在する、請求項１０に記載のキット。
【請求項１２】
前記ＣＤＫ４インヒビターおよび少なくとも１種のさらなるインヒビターが、別個の処方物として存在する、請求項１０に記載のキット。
【請求項１３】
システムであって、以下：
ａ）ＣＤＫ４インヒビター；ならびに
ｂ）ｉ）変異レセプターチロシンキナーゼインヒビター；および
ｉｉ）ＭＥＫインヒビター
のうちの少なくとも１種
を含む、システム。
【請求項１４】
前記医薬が、変異レセプターチロシンキナーゼインヒビターと組み合わせて投与することにおいて使用するためのものであるか、あるいは前記組成物、キット、またはシステムは、変異レセプターチロシンキナーゼインヒビターを含む、請求項１〜１３のいずれか１項に記載の使用、組成物、キットまたはシステム。
【請求項１５】
前記医薬が、ＭＥＫインヒビターと組み合わせて投与することにおいて使用するためのものであるか、あるいは前記組成物、キット、またはシステムは、ＭＥＫインヒビターを含む、請求項１〜１３のいずれか１項に記載の使用、組成物、キットまたはシステム。
【請求項１６】
前記医薬が、変異レセプターチロシンキナーゼインヒビターおよびＭＥＫインヒビターと組み合わせて投与することにおいて使用するためのものであるか、あるいは前記組成物、キット、またはシステムは、変異レセプターチロシンキナーゼインヒビターおよびＭＥＫインヒビターを含む、請求項１〜１３のいずれか１項に記載の使用、組成物、キットまたはシステム。
【手続補正書】
【提出日】平成19年11月16日(2007.11.16)
【手続補正１】
【補正対象書類名】特許請求の範囲
【補正対象項目名】請求項４
【補正方法】変更
【補正の内容】
【請求項４】
式（III）：
【化８】
2007513923.tif 000001
［式中、
Ｘ1及びＸ2並びにフリーボンドに結合しているラジカルは、請求項１と同義であり、そして
Ｅは、芳香族炭化水素に結合している金属又は結合金属基を置換することができる、反応性求電子化合物のラジカルである］で示されるフェロセン、ビスインデニルフェロセン又はルテノセンの製造方法であって、
式（Ｉ）：
【化９】
2007513923.tif 000002
［式中、
Ｍ、Ｘ1及びＸ2並びにフリーボンドに結合しているラジカルは、請求項１と同義である］で示されるフェロセン、ビスインデニルフェロセン又はルテノセンを、少なくとも等量の反応性求電子化合物と反応させることを特徴とする方法。
【手続補正２】
【補正対象書類名】特許請求の範囲
【補正対象項目名】請求項１１
【補正方法】変更
【補正の内容】
【請求項１１】
ラセミ体、ジアステレオマー及びジアステレオマーの対の形の、式（XII）の化合物：
【化２２】
2007513923.tif 000003
で示される化合物を製造するための請求項８記載の方法であって、以下の工程：
ａ）  式（XIV）又は（XV）：
【化２３】
2007513923.tif 000004
［式中、
Ｍ及び−Ｐ（Ｘ1−）（Ｘ2−）----（ＢＨ3）0,1基は、請求項１及び１０と同義である］で示される化合物と、ｓｅｃ−ホスフィンハロゲン化物（塩化物又は臭化物）とを反応させて、式（XVI）：
【化２４】
2007513923.tif 000005
で示される化合物が生成すること、
ｂ）  以下による式（XII）のジホスフィンの調製、
ｂ１）  存在する任意のボラン基を式（XVI）の化合物から脱離し、次に（ヘテロ）炭化水素−Ｘ1、（ヘテロ）炭化水素−Ｘ2又はＸ1−（ヘテロ）炭化水素−Ｘ2ラジカルを開裂することにより、−ＰＣｌ2基又は−ＰＢｒ2基を形成し、そして次に有機金属化合物（グリニャール試薬）を用いて、Ｃｌ又はＢｒ原子を炭化水素ラジカルにより置換することによって、ｓｅｃ−ホスフィノ基を形成すること、あるいは
ｂ２）  （ヘテロ）炭化水素−Ｘ1、（ヘテロ）炭化水素−Ｘ2又はＸ1−（ヘテロ）炭化水素−Ｘ2ラジカルを開裂することにより、−ＰＣｌ2基又は−ＰＢｒ2基を形成し、そして次に有機金属化合物（グリニャール試薬）を用いて、Ｃｌ又はＢｒ原子を炭化水素ラジカルにより置換することによって、ｓｅｃ−ホスフィノ基を形成し、そして次にボラン基を脱離すること
を含むことを特徴とする方法。
【手続補正３】
【補正対象書類名】明細書
【補正対象項目名】０１３６
【補正方法】変更
【補正の内容】
【０１３６】
［式中、
−Ｐ（Ｘ1−）（Ｘ2−）----（ＢＨ3）0,1基、Ｒ21、Ｒ23及びＹ1は、上記と同義であるか、あるいは−Ｐ（Ｘ1−）（Ｘ2−）----（ＢＨ3）0,1基中の（Ｘ1−）及び（Ｘ2−）は、Ｃｌ又はＢｒであり、そしてＲ24は、−ＯＨ、Ｃ1−Ｃ4−アルコキシ、Ｃ1−Ｃ8−アシルオキシ又はｓｅｃ−アミノである］で示される化合物を提供する。
【手続補正書】
【提出日】平成19年11月20日(2007.11.20)
【手続補正１】
【補正対象書類名】特許請求の範囲
【補正対象項目名】全文
【補正方法】変更
【補正の内容】
【特許請求の範囲】
【請求項１】
・活性化合物として、環状デプシペプチドおよび／またはプラジカンテル
・ピロリドン溶媒
・テルペン透過増強剤および／または透過増強剤として作用する脂肪族脂肪酸および／または透過増強剤として作用する脂肪族脂肪アルコール
を含む組成物。
【請求項２】
テルペン透過増強剤としてテルペン炭化水素を含む、請求項１に記載の組成物。
【請求項３】
テルペン透過増強剤としてリモネンを含む、請求項２に記載の組成物。
【請求項４】
透過増強剤として作用する脂肪族脂肪酸が、リノール酸またはオレイン酸である、請求項１に記載の組成物。
【請求項５】
透過増強剤として作用する脂肪族脂肪酸がオレイン酸である、請求項１または請求項４に記載の組成物。
【請求項６】
テルペン透過増強剤および透過増強剤として作用する脂肪族脂肪酸を含む、請求項１に記載の組成物。
【請求項７】
テルペン透過増強剤がリモネンであり、透過増強剤として作用する脂肪族脂肪酸がオレイン酸またはリノール酸である、請求項６に記載の組成物。
【請求項８】
透過増強剤として作用する脂肪族脂肪酸がオレイン酸である、請求項７に記載の組成物。
【請求項９】
活性化合物として環状デプシペプチドを含む、請求項１ないし請求項８のいずれかに記載の組成物。
【請求項１０】
活性化合物としてエモデプシドを含む、請求項１ないし請求項９のいずれかに記載の組成物。
【請求項１１】
環状デプシペプチドおよびプラジカンテルを含む、請求項１ないし請求項９のいずれかに記載の組成物。
【請求項１２】
エモデプシドおよびプラジカンテルを含む、請求項１０または請求項１１に記載の組成物。
【請求項１３】
活性化合物を、溶媒および必要に応じてさらなる補助剤と混合することを特徴とする、請求項１ないし請求項１２のいずれかに記載の組成物の製造方法。
【請求項１４】
内寄生生物を制御するための、請求項１ないし請求項１２のいずれかに記載の組成物の使用。
【手続補正書】
【提出日】平成19年11月30日(2007.11.30)
【手続補正１】
【補正対象書類名】特許請求の範囲
【補正対象項目名】請求項３９
【補正方法】変更
【補正の内容】
【請求項３９】
請求項２１、２２又は３３記載のシクレソニドの滅菌水性懸濁液を、副腎皮質ステロイドを必要とする患者における臨床的状態を予防又は治療するための薬剤の製造において用いる使用。
【手続補正２】
【補正対象書類名】特許請求の範囲
【補正対象項目名】請求項４０
【補正方法】変更
【補正の内容】
【請求項４０】
臨床的状態が、喘息であり、患者が児童であり、治療が連続的な治療計画であり、かつシクレソニドの滅菌水性懸濁液を噴霧化によって投与する、請求項３９記載の使用。
【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
複数の速硬化性成分材料用のスプレーガンであって、
第１及び第２の複数の成分材料の供給源に接続可能であり、それぞれの成分用のポートを有するガン本体と、
ガン本体の内部に配置された混合モジュールとを有し、該混合モジュールは前記ポートと流体流通しており、成分を混合するための中央穴を有し、混合モジュールはグラファイト及びポリテトラフルオロエチレン滑剤で強化されたポリエーテルエーテルケトンからなり、
前記中心穴を通って移動できるパージロッドを有するスプレーガン。
【誤訳訂正書】
【提出日】平成19年11月29日(2007.11.29)
【誤訳訂正１】
【訂正対象書類名】特許請求の範囲
【訂正対象項目名】全文
【訂正方法】変更
【訂正の内容】
【特許請求の範囲】
【請求項１】
生理学的に許容可能な媒体中に、揮発性シリコーン脂肪相を含む化粧用組成物であって、この揮発性シリコーン脂肪相が、少なくとも１の非環状揮発性シリコーンオイルと、揮発性シリコーン脂肪相の全重量に対して０から５重量％の環状揮発性シリコーンオイルを含み、前記揮発性シリコーン脂肪相が、３０分後に蒸発している揮発性シリコーンオイルの質量が２mg/cm2から９mg/cm2の範囲であるという蒸発特性を有する化粧用組成物であって、
前記蒸発特性は以下の工程a)〜ｄ）により測定され、
a) 試験される１５ｇの脂肪相を、結晶皿（半径：７ｃｍ）の上に置く。この皿を、温度（２５℃）及び湿度（５０％相対湿度）が規定された約０．３m３の室内に設置された秤の上に置く、
b) 換気扇（Papst-Motoren社によるもの, 参照8550Ｎ、回転速度2700rpm）による換気を脂肪相の液体を含む結晶皿の垂直の上方に設置した状態で、攪拌なしにこの脂肪相の液体が自由に蒸発することができるようにし、風向計を結晶皿に相対する位置であって、結晶皿の底から２0ｃｍの位置に置く、
c) 結晶皿に残っている脂肪相の質量を定期的に測定する、
d) 蒸発速度を単位面積（ｃｍ２）及び時間（分）当たりの蒸発する脂肪相についてｍｇの単位で表す、
前記揮発性シリコーン脂肪相は、ドデカメチルペンタシロキサン及びデカメチルテトラシロキサンの混合物を含み、かつ、前記ドデカメチルペンタシロキサン及びデカメチルテトラシロキサンは、ドデカメチルペンタシロキサン/デカメチルテトラシロキサン重量比が5/95から90/10の範囲で存在することを特徴とする化粧用組成物。
【請求項２】
前記揮発性シリコーン脂肪相が、３０分後に蒸発している揮発性シリコーンオイルの質量が２mg/cm2から８mg/cm2の範囲にあるという蒸発特性を有することを特徴とする請求項１に記載の化粧用組成物。
【請求項３】
前記揮発性シリコーン脂肪相が、３０分後に蒸発している揮発性シリコーンオイルの質量が２.３mg/cm2から６mg/cm2の範囲にあるという蒸発特性を有することを特徴とする請求項１又は２に記載の化粧用組成物。
【請求項４】
前記非環状揮発性シリコーンオイルは、単独又は混合物として、全組成物の全重量に対して、１から８０重量％の範囲の量で存在することを特徴とする請求項１から３のいずれか一項記載の化粧用組成物。
【請求項５】
前記ドデカメチルペンタシロキサン及び前記デカメチルテトラシロキサンは、前記組成物の全重量に対して、１から８０重量％の範囲で存在することを特徴とする請求項１から４のいずれか一項記載の化粧用組成物。
【請求項６】
揮発性非シリコーンオイルを含むことを特徴とする請求項１から５のいずれか一項記載の化粧用組成物。
【請求項７】
前記揮発性非シリコーンオイルは、揮発性炭化水素系オイルであることを特徴とする請求項６記載の化粧用組成物。
【請求項８】
前記炭化水素系揮発性オイルは、イソドデカン、イソデカン、イソヘキサデカン、及び、イソへキシルネオペンタノエート、及びこれらの混合物から選ばれることを特徴とする請求項７記載の化粧用組成物。
【請求項９】
前記揮発性非シリコーンオイルは、前記組成物の全重量に対して、０．１から５０重量％の範囲の量で存在することを特徴とする請求項６から８のいずれか一項記載の化粧用組成物。
【請求項１０】
非揮発性オイルを含むことを特徴とする請求項１０記載の化粧用組成物。
【請求項１１】
前記非揮発性オイルは、組成物の全重量に対して、０．１から６０重量％の範囲で存在することを特徴とする請求項１０記載の化粧用組成物。
【請求項１２】
フィルム形成ポリマー類及び固定ポリマー類；界面活性剤類；毛髪コンディショナー類；染料類；真珠光沢剤類；不透明化剤類；有機溶媒類；香料類；増粘化剤類；ゲル化剤；ワックス；ペースト状製品；毛髪染料；シリコーン樹脂；シリコーンガム；保存料；抗酸化剤；化粧用活性剤；サンスクリーン類；ｐH安定化剤；ビタミン類；湿潤化剤；制汗剤；消臭剤；自己日焼け化合物類；及びこれらの混合物から選ばれる化粧品用の成分を含むことを特徴とする請求項１から１１のいずれか一項記載の化粧用組成物。
【請求項１３】
身体又は顔面のためのケア用組成物；身体又は顔面のためのクレンジング組成物、例えばシャワージェル、浴用ジェル又はメイクアップリムーバー；身体又は顔面のためのメイクアップ組成物、例えば、ファンデーション、リップスティック、リップケア製品、マニキュア、ネールケア製品、マスカラ又はアイライナー；香料組成物；ヘアダイ組成物又はパーマヘアリシェイプ用組成物等の毛髪組成物；日焼け止め組成物；消臭組成物；シャンプー、洗い流す若しくは洗い流さないコンディショナー、毛髪の染色、漂白、パーマ、又はリラックスの前後、又はパーマ、若しくはリラックスの操作の二つの工程の間に用いられる洗い流す組成物等のヘアケア若しくはヘアクレンジング組成物；ヘアスタイルの保持の為の毛髪組成物、例えばスタイリングラッカー、ゲル、又はスプレー等の形態であることを特徴とする請求項１から１２のいずれか一項記載の化粧用組成物。
【請求項１４】
請求項１から１３のいずれか一項記載の組成物のケラチン物質類への適用を含む、ケラチン物質類のための化粧メイクアップ方法又は非治療目的のためのケア方法。
【誤訳訂正２】
【訂正対象書類名】明細書
【訂正対象項目名】００７７
【訂正方法】変更
【訂正の内容】
【００７７】
［実施例４］
以下の組成を有するケアクリームを調製した。
(脂肪相)：
グリセリルモノステアレート及びポリエチレングリコールステアレート１００EO混合物（５０／５０重量比）(Arlacel 165 ICI社による) ２．５ｇ
−ステアリルアルコール ０．５ｇ
−ステアリン酸 １ｇ
−水添ポリイソブテン （Parleam, NOF社による） ９ｇ
−デカメチルテトラシロキサン （DC 200 Fluid 1.5 cst ダウコーニング社によるもの） ２．１ｇ
−ドデカメチルペンタシロキサン (DC 200 Fluid 2 cst ダウコーニング社によるもの) ２．１ｇ
（水相）：
−トリエタノールアミン ０．０３ｇ
−架橋されたポリアクリル酸（Carbopol 980） １ｇ
−保存料 ０．３ｇ
−水 １００ｇ迄適量
【手続補正書】
【提出日】平成20年4月9日(2008.4.9)
【手続補正１】
【補正対象書類名】明細書
【補正対象項目名】特許請求の範囲
【補正方法】変更
【補正の内容】
【特許請求の範囲】
【請求項１】  精製ヒアルロン酸（ＨＡ）、第二抗腫瘍剤および製薬上許容可能な担体を含む組成物であって、前記第二抗腫瘍剤が、チモテ菌(Mycobacterium phlei)ＤＮＡ（Ｍ−ＤＮＡ）、チモテ菌細胞壁複合体（ＭＣＣ）、オリゴヌクレオチド、またはそれらの組み合わせであり、前記オリゴヌクレオチドが、配列番号１または配列番号２である組成物。
【請求項２】  精製ヒアルロン酸（ＨＡ）、第二抗腫瘍剤および製薬上許容可能な担体を含む哺乳動物のガンを治療するための医薬組成物であって、前記第二抗腫瘍剤が、チモテ菌(Mycobacterium phlei)ＤＮＡ（Ｍ−ＤＮＡ）、チモテ菌ＤＮＡ（Ｍ−ＤＮＡ）−チモテ菌細胞壁複合体（ＭＣＣ）、オリゴヌクレオチド、タモキシフェン、またはそれらの組み合わせであり、前記オリゴヌクレオチドが、配列番号１または配列番号２である医薬組成物。
【請求項３】  精製ヒアルロン酸（ＨＡ）、第二抗腫瘍剤および製薬上許容可能な担体を含む哺乳動物のガンを治療するための医薬組成物であって、前記第二抗腫瘍剤が、チモテ菌(Mycobacterium phlei)ＤＮＡ（Ｍ−ＤＮＡ）、チモテ菌ＤＮＡ（Ｍ−ＤＮＡ）−チモテ菌細胞壁複合体（ＭＣＣ）、オリゴヌクレオチド、またはタモキシフェンであり、前記オリゴヌクレオチドが、配列番号１または配列番号２である医薬組成物であり、前記ガンが、扁平上皮癌、繊維肉腫、サルコイド癌腫、黒色腫、乳癌、肺癌、結腸直腸癌、腎臓癌、骨肉種、皮膚黒色腫、基底細胞癌、膵臓癌、膀胱癌、脳癌、卵巣がん、前立腺癌、白血病、およびリンパ腫からなる群から選択される医薬組成物。
【請求項４】  前記精製ヒアルロン酸が、哺乳類における使用に適するヒアルロナン、ヒアルロネート、またはヒアルロン酸の塩、同族体、類縁体、誘導体、複合体、エステル、断片もしくはサブユニットである請求項１に記載の組成物。
【請求項５】  前記製薬上許容可能な担体が、液体担体、固体担体またはそれらの両方を含む請求項１に記載の組成物。
【請求項６】  前記液体担体が、水、生理食塩水、生理学的に許容可能な緩衝液、水性懸濁液、油エマルション、油中水型エマルション、水中油中水型エマルション、部位特異的エマルション、長期滞留型エマルション、粘着性エマルション、マイクロエマルション、ナノエマルション、鉱油または中性油、あるいはそれらの混合物である請求項５に記載の組成物。
【請求項７】  前記固体担体が、化学的担体、生物学的担体、粒子、ミクロ粒子、ナノ粒子、ミクロスフェア、ナノスフェア、ミニポンプ、細菌細胞壁抽出物、ならびに組成物の持続性放出を可能にする生分解性もしくは非生分解性天然または合成ポリマーあるいはそれらの混合物である請求項５に記載の組成物。
【請求項８】  前記ガンが、扁平上皮癌、繊維肉腫、サルコイド癌腫、黒色腫、乳癌、肺癌、結腸直腸癌、腎臓癌、骨肉種、皮膚黒色腫、基底細胞癌、膵臓癌、膀胱癌、脳癌、卵巣がん、前立腺癌、白血病、およびリンパ腫である請求項２に記載の組成物。
【請求項９】  前記組成物が、経口、局所、皮下、経皮、真皮下、筋肉内、腹腔内、膀胱内、関節内、動脈内、静脈内、皮膚内、頭蓋内、病変内、腫瘍内、眼内、肺内、脊椎内、鼻吸入、肺吸入、皮膚への圧入、エレクトロポレーション、浸透ミニポンプおよび当該部位へのカニューレによる投与のためのものである請求項２に記載の組成物。
【請求項１０】  精製ヒアルロン酸（ＨＡ）、第二抗腫瘍剤および製薬上許容可能な担体を含む哺乳動物のガンを治療するための医薬組成物であって、前記第二抗腫瘍剤が、チモテ菌(Mycobacterium phlei)ＤＮＡ（Ｍ−ＤＮＡ）、チモテ菌ＤＮＡ（Ｍ−ＤＮＡ）−チモテ菌細胞壁複合体（ＭＣＣ）、オリゴヌクレオチド、またはそれらの組み合わせであり、前記オリゴヌクレオチドが、配列番号１または配列番号２である医薬組成物。
【請求項１１】  前記ガンが、扁平上皮癌、繊維肉腫、サルコイド癌腫、黒色腫、乳癌、肺癌、結腸直腸癌、腎臓癌、骨肉種、皮膚黒色腫、基底細胞癌、膵臓癌、膀胱癌、脳癌、卵巣がん、前立腺癌、白血病、およびリンパ腫からなる群から選択される請求項１０に記載の組成物。
【請求項１２】  前記組成物が、経口、局所、皮下、経皮、真皮下、筋肉内、腹腔内、膀胱内、関節内、動脈内、静脈内、皮膚内、頭蓋内、病変内、腫瘍内、眼内、肺内、脊椎内、鼻吸入、肺吸入、皮膚への圧入、エレクトロポレーション、浸透ミニポンプおよび当該部位へのカニューレによる投与のためのものである請求項１０に記載の組成物。
【請求項１３】  前記精製ヒアルロン酸が、１×１０３〜１×１０７Ｄａの分子量を有する請求項１に記載の組成物。
【請求項１４】  前記精製ヒアルロン酸が、５×１０４〜１×１０６Ｄａの分子量を有する請求項１に記載の組成物。
【請求項１５】  前記精製ヒアルロン酸が、１×１０４〜８×１０５Ｄａの分子量を有する請求項１に記載の組成物。
【請求項１６】  １回用量につき投与される前記精製ヒアルロン酸の量が、０．００１〜２５ｍｇ／体重ｋｇである請求項２に記載の組成物。
【請求項１７】  １回用量につき投与される前記精製ヒアルロン酸の量が、０．０１〜１０ｍｇ／体重ｋｇである請求項２に記載の組成物。
【請求項１８】  １回用量につき投与される前記精製ヒアルロン酸の量が、０．００１〜２５ｍｇ／体重ｋｇである請求項１０に記載の組成物。
【請求項１９】  １回用量につき投与される前記精製ヒアルロン酸の量が、０．０１〜１０ｍｇ／体重ｋｇである請求項１０に記載の組成物。
【手続補正書】
【提出日】平成19年12月18日(2007.12.18)
【手続補正１】
【補正対象書類名】明細書
【補正対象項目名】特許請求の範囲
【補正方法】変更
【補正の内容】
【特許請求の範囲】
【請求項１】  哺乳動物における抗原提示の阻害またはアネルギー応答の誘導に使用するためのＮＦ−κＢ阻害剤、または核酸の発現に必要な調節配列に作動的に連結されたＮＦ−κＢ阻害剤をコードする核酸を含むベクターであって、抗原分子または抗原分子をコードするポリヌクレオチドと組み合わせて使用される、ＮＦ−κＢ阻害剤またはベクター。
【請求項２】  哺乳動物におけるアレルギーもしくは自己免疫疾患の治療または哺乳動物における移植拒絶の防止のために使用される、請求項１記載の阻害剤またはベクター。
【請求項３】  阻害剤がＩκＢαまたはＰＳＩまたはＩＫＫ２ドミナントネガティブ突然変異体である、請求項１または２記載の阻害剤またはベクター。
【請求項４】  阻害剤がＮＦ−κＢの少なくとも一部に対して有効なアンチセンス核酸である、請求項１または２記載の阻害剤またはベクター。
【請求項５】  アンチセンス核酸がＲｅｌ  Ｂに対して有効である、請求項４記載の阻害剤またはベクター。
【請求項６】  阻害剤が、ＮＦ−κＢもしくはその断片に結合しうる、抗体もしくはその有効な断片、または抗体もしくはその有効な断片をコードするｃＤＮＡである、請求項１または２記載の阻害剤またはベクター。
【請求項７】  抗体が抗Ｒｅｌ  Ｂ抗体もしくはその有効な断片、またはＲｅｌ  Ｂもしくはその有効な断片をコードするｃＤＮＡである、請求項６記載の阻害剤またはベクター。
【請求項８】  前記抗体断片が抗体のＦａｂ断片、（Ｆａｂ）2断片またはＦｖ断片である、請求項６または７記載の阻害剤またはベクター。
【請求項９】  抗原提示または免疫応答の刺激に使用するためのＮＦ−κＢ誘導剤または核酸の発現に必要な調節配列に作動的に連結されるＮＦ−κＢ誘導剤をコードする核酸分子を含んでなるベクターであって、抗原分子または抗原分子をコードするポリヌクレオチドと組み合わせて使用される、ＮＦ−κＢ誘導剤またはベクター。
【請求項１０】  感染症または癌を治療するための請求項９記載の誘導剤またはベクター。
【請求項１１】  誘導剤がＭＥＫＫ１、ＮＩＫ、ＩＫＫ２、ＴＲＡＦ２、ＴＲＡＦ５、ＴＲＡＦ６、ＴＡＫ、Ｍｙｄ８８のドミナントネガティブ突然変異体、ＴＰ  Ｌ−２、ＩＲＡＫ、ＴｏｌｌレセプターおよびＲｅｌ  Ｂ、ならびにＮＦ−κＢを誘導しうるそれらの断片または突然変異タンパク質から選ばれる、請求項９または１０記載のＮＦ−κＢ誘導剤またはベクター。
【請求項１２】  誘導剤がＤＮＡワクチン形態のものである、請求項９〜１１いずれか記載のＮＦ−κＢ誘導剤またはベクター。
【請求項１３】  抗原分子が、形質転換細胞もしくは癌細胞もしくは病原生物上または病原生物に感染した細胞上に存在するエピトープ、あるいはアルツハイマー病もしくは海綿状脳症において発現されるポリペプチドを含む、請求項９〜１２いずれか記載の誘導剤またはベクター。
【請求項１４】  阻害剤または誘導剤が抗原提示細胞（ＡＰＣ）またはその前駆細胞を標的とする、請求項１〜１３いずれか記載の阻害剤、誘導剤またはベクター。
【請求項１５】  抗原提示細胞ＡＰＣまたはその前駆細胞がインビトロで阻害剤または誘導剤に曝露される、請求項１〜１４いずれか記載の阻害剤、誘導剤またはベクター。
【請求項１６】  前記ＡＰＣが樹状細胞である、請求項１４または１５記載の阻害剤、誘導剤またはベクター。
【請求項１７】  ベクターがアデノウイルスまたはレンチウイルスである、請求項１〜１６いずれか記載のベクター。
【請求項１８】  （１）ＮＦ−κＢ阻害剤または誘導剤を含むかまたはコードする部分、および（２）抗原分子を含むかまたはコードする部分を含んでなる分子。
【請求項１９】  （１）ＮＦ−κＢ阻害剤または誘導剤、および（２）抗原分子を含んでなる、パーツキットまたは組成物。
【請求項２０】  癌細胞もしくは腫瘍細胞に対するか、あるいは病原生物もしくは病原生物に感染した細胞またはアルツハイマー病もしくは海綿状脳症に対する使用に適しているワクチンであって、有効量のＮＦ−κＢ誘導剤もしくはＮＦ−κＢ誘導剤をコードするポリヌクレオチドを含み、かつ癌細胞もしくは腫瘍細胞、または病原生物もしくは病原生物に感染した細胞上に存在するか、あるいはアルツハイマー病または海綿状脳症に関連するポリペプチドに存在するエピトープを有する抗原または抗原をコードするポリヌクレオチドをさらに含んでなる、ワクチン。
【請求項２１】  ワクチンが核酸ワクチンである、請求項２０記載のワクチン。
【請求項２２】  請求項２０もしくは２１記載のワクチン、請求項１９記載のパーツキットもしくは組成物、または請求項１８記載の分子、および薬学的に許容されうる担体を含有してなる医薬組成物。
【手続補正書】
【提出日】平成19年12月19日(2007.12.19)
【手続補正１】
【補正対象書類名】明細書
【補正対象項目名】特許請求の範囲
【補正方法】変更
【補正の内容】
【特許請求の範囲】
【請求項１】  動的に位置制御可能なタンカーと、該タンカーの甲板に搭載される直接井戸介入設備とを有し、
前記直接井戸介入設備は、アンダーバランス非回転穿孔と、前記タンカーの貯蔵タンクに接続された炭化水素液体分離用の設備とを含み、
分離された炭化水素液体を前記タンカーに貯蔵することができるようにした海底井戸介入船。
【請求項２】  前記井戸介入設備は、シャトルタンカーの主甲板上の上部構造に搭載される請求項１に記載の船。
【請求項３】  コイル管穿孔設備がスキッド甲板の近傍に搭載され、該スキッド甲板は当該コイル管穿孔設備が接続される井戸ライザー上の舷外位置に移動されるようになっている請求項１または２に記載の船。
【請求項４】  コイル管穿孔設備がムーンプールの近傍に搭載され、該ムーンプールは当該コイル管穿孔設備が接続される井戸ライザー上に配置されている請求項１または２に記載の船。
【請求項５】  沖合アンダーバランス穿孔を行う方法において、
甲板に直接井戸介入設備が搭載されたタンカーを海底井戸から延びるライザー上に動的に位置制御し、
前記井戸介入設備を前記ライザーに接続し、
アンダーバランス非回転穿孔を行い、
得られる多相混合物を前記タンカー上で分離し、
分離された炭化水素液体を前記タンカーの貯蔵タンクに貯蔵する方法。
【手続補正書】
【提出日】平成19年11月16日(2007.11.16)
【手続補正１】
【補正対象書類名】明細書
【補正対象項目名】発明の名称
【補正方法】変更
【補正の内容】
【発明の名称】エチレンポリマー類の製造方法およびメタロセン化合物
【手続補正２】
【補正対象書類名】明細書
【補正対象項目名】特許請求の範囲
【補正方法】変更
【補正の内容】
【特許請求の範囲】
【請求項１】  （Ａ）式（Ｉ）：
【化１】
2003518530.tif 000001
［式中、
ＡおよびＢを含む環は、許容される位置に芳香特性を有する二重結合を有し；
ＡおよびＢは、硫黄（Ｓ）、酸素（Ｏ）およびＣＲ9、
（Ｒ9は水素、元素の周期表の１３または１５〜１７族に属するヘテロ原子を任意に含む、Ｃ1〜Ｃ20アルキル、Ｃ3〜Ｃ20シクロアルキル、Ｃ2〜Ｃ20アルケニル、Ｃ6〜Ｃ20アリール、Ｃ7〜Ｃ20アルキルアリール、Ｃ7〜Ｃ20アリールアルキル基から選択され）から選択され、ただしＡがＳまたはＯであるならばＢはＣＲ5であるか、またはＢがＳまたはＯであるならばＡはＣＲ5であり；
Ｒ1、Ｒ2、Ｒ3、Ｒ4、Ｒ5、Ｒ6、Ｒ7およびＲ8は同一または互いに異なって、水素、元素の周期表の１３または１５〜１７族に属するヘテロ原子を任意に含む、Ｃ1〜Ｃ20アルキル、Ｃ3〜Ｃ20シクロアルキル、Ｃ2〜Ｃ20アルケニル、Ｃ6〜Ｃ20アリール、Ｃ7〜Ｃ20アルキルアリール、Ｃ7〜Ｃ20アリールアルキル基から選択され、２つの隣接するＲ1とＲ2および／またはＲ3とＲ4および／またはＲ5とＲ6は、置換基を有し得る４〜８原子からなる環を形成することができ；
Ｍは、元素の周期表（新しいＩＵＰＡＣ版）における３、４、５、６族またはランタニドもしくはアクチニド族に属するものから選択される遷移金属の原子であり、
Ｘは同一または互いに異なって、水素、ハロゲン原子、Ｒ10、ＯＲ10、ＯＳＯ2ＣＦ3、ＯＣＯＲ10、ＳＲ10、ＮＲ102またはＰＲ102基、
（式中、置換基Ｒ10は水素、元素の周期表の１３または１５〜１７族に属するヘテロ原子を任意に含む、Ｃ1〜Ｃ20アルキル、Ｃ3〜Ｃ20シクロアルキル、Ｃ2〜Ｃ20アルケニル、Ｃ6〜Ｃ20アリール、Ｃ7〜Ｃ20アルキルアリール、Ｃ7〜Ｃ20アリールアルキル基から選択され）；
ｐは、金属Ｍの酸化状態引く２に等しい１〜３の整数であり；
イソプロピリデン（シクロペンタジエニル）−７−（シクロペンタジエニル−［１，２−ｂ：４，３−ｂ’］−ジチオフェン）ジルコニウムジクロリドを除く］
のメタロセン化合物、および
（Ｂ）アルモキサンおよび／またはアルキルメタロセンカチオンを形成し得る化合物
を接触させることにより得られる生成物からなる触媒の存在下で、エチレンおよび任意に１またはそれ以上のオレフィンの重合反応からなるエチレンポリマー類の製造方法。
【請求項２】  式（Ｉ）のメタロセン化合物におけるＡおよびＢが硫黄およびＣＨ基から選択され、ＡかＢがＣＨとは異なり、Ｒ5およびＲ6がＣ1〜Ｃ20アルキル基であり、かつＲ7がＲ8と等しい請求項１による方法。
【請求項３】  Ｒ1、Ｒ3およびＲ4が水素であり、Ｒ5およびＲ6がメチルであり、Ｒ2がＣ1〜Ｃ20アルキル基であり、かつＲ7およびＲ8が水素またはメチル基である請求項１または２による方法。
【請求項４】  方法が、アルファ−オレフィンの存在下で行われ、アルファ−オレフィン誘導単位のモル含量が、０％と６０％の間である請求項１〜３のいずれか１つによる方法。
【請求項５】  方法が、環状コモノマーの存在下で行われ、環状コモノマーのモル含量が、０モル％と３０モル％の間である請求項１〜３のいずれか１つによる方法。
【請求項６】  式（Ｉ）：
【化１７】
2003518530.tif 000002
［式中、Ａ、Ｂ、Ｍ、Ｘ、ｐ、Ｒ1、Ｒ2、Ｒ3、Ｒ4、Ｒ5、Ｒ6、Ｒ7およびＲ8は請求項１のような意味を有し、
イソプロピリデン（シクロペンタジエニル）−７−（シクロペンタジチオフェン）ジルコニウムジクロリド、
イソプロピリデン（３−メチル−シクロペンタジエニル）−７−（シクロペンタジチオフェン）ジルコニウムジクロリド、
イソプロピリデン（３−エチル−シクロペンタジエニル）−７−（シクロペンタジチオフェン）ジルコニウムジクロリド、
イソプロピリデン（３−ｔ−ブチル−シクロペンタジエニル）−７−（シクロペンタジチオフェン）ジルコニウムジクロリド、
イソプロピリデン（３−ｎ−ブチル−シクロペンタジエニル）−７−（シクロペンタジチオフェン）ジルコニウムジクロリド、
イソプロピリデン（３−トリメチルシリル−シクロペンタジエニル）−７−（シクロペンタジチオフェン）ジルコニウムジクロリドおよび
イソプロピリデン（３−ｉ−プロピルシクロペンタジエニル）−７−（シクロペンタジチオフェン）ジルコニウムジクロリドを除く］
のメタロセン化合物。
【手続補正書】
【提出日】平成19年12月10日(2007.12.10)
【手続補正１】
【補正対象書類名】明細書
【補正対象項目名】特許請求の範囲
【補正方法】変更
【補正の内容】
【特許請求の範囲】
【請求項１】  ポリカーボネート、少なくとも１種の衝撃変性剤、および高純度タルクを含有し、該タルクがタルクに対してＡｌ2Ｏ3含有量1重量％未満であることを特徴とする、組成物。
【請求項２】  少なくとも１種の芳香族ポリカーボネート40〜98重量％、少なくとも１種のグラフトポリマー0.5〜50重量％、およびタルク0.05〜40重量％を含有する、請求項１記載の組成物。
【請求項３】  タルクに対してそれぞれＭｇＯ含有量30〜33重量％、ＳｉＯ2含有量58〜64重量％およびＡｌ2Ｏ3含有量1.0重量％未満であることを特徴とするタルクを含有する、請求項１記載の組成物。
【請求項４】  衝撃変性剤として、少なくとも１種のビニルモノマー5〜95重量％の、ガラス転移温度10℃未満の少なくとも１種のグラフトベース95〜5重量％への、１種またはそれ以上のグラフトポリマーを含有する、請求項１記載の組成物。
【請求項５】  ビニル(コ)ポリマー、ポリアルキレンテレフタレートまたはそれらの混合物を含有する、請求項１記載の組成物。
【請求項６】  少なくとも１種の芳香族ポリカーボネート50〜90重量％、衝撃変性剤として、エマルジョンもしくは塊状ＡＢＳまたはそれらの混合物1.5〜25重量％、ビニル(コ)ポリマー0〜20重量％、および請求項３記載のタルク1〜20重量％を含有し、そして成分の合計が100である、請求項１記載のポリカーボネート組成物。
【請求項７】  各種の成形物品および成形品の製造における、請求項１〜６いずれかに記載のポリカーボネート組成物の使用。
【請求項８】  請求項１〜６いずれかに記載のポリカーボネート組成物から得られる、成形物品および成形品。
【手続補正書】
【提出日】平成19年11月15日(2007.11.15)
【手続補正１】
【補正対象書類名】明細書
【補正対象項目名】特許請求の範囲
【補正方法】変更
【補正の内容】
【特許請求の範囲】
【請求項１】  (A) 一般式(I)：  SiR1R2LQMXp (I)
[式中、SiR1R2はL及びQの部分を橋架けする二価の基であり；
R1とR2は同一又は異なって、水素、C1-C20アルキル、C3-C20シクロアルキル、C2-C20アルケニル、C6-C20アリール、C7-C20アルキルアリール又はC7-C20アリールアルキル基(元素の周期律表の13又は15〜17族に属するヘテロ原子を任意に含む)から選択され；任意にR1とR2は3〜8原子からなる環を形成し、これらは置換基を有していてもよく；
Qは式(II)の部分：
【化１】
2003518531.tif 000001
であり、ここでAとBは硫黄(S)、酸素(O)及びCR5から選択され、R5は水素、C1-C20アルキル、C3-C20シクロアルキル、C2-C20アルケニル、C6-C20アリール、C7-C20アルキルアリール又はC7-C20アリールアルキル基(元素の周期律表の13又は15〜17族に属するヘテロ原子を任意に含む)から選択され；A又はBのいずれかはCR5と異なり、A及びBを含む環は芳香特性を有する可能な位置に二重結合を有し；AがSもしくはOである場合はBはCR5であるか、又はBがSもしくはOである場合はAはCR5であり；
R3及びR4は、同一又は異なって、水素、C1-C20アルキル、C3-C20シクロアルキル、C2-C20アルケニル、C6-C20アリール、C7-C20アルキルアリール又はC7-C20アリールアルキル基(元素の周期律表の13又は15〜17族に属するヘテロ原子を任意に含む)から選択され；
Lは式(III)の部分：
【化２】
2003518531.tif 000002
であり、ここでR6、R7、R8及びR9は同一又は異なって、C1-C20アルキル、C3-C20シクロアルキル、C2-C20アルケニル、C6-C20アリール、C7-C20アルキルアリール又はC7-C20アリールアルキル基(元素の周期律表の13又は15〜17族に属するヘテロ原子を任意に含む)から選択され；2つの隣合うR6とR7及び/又はR8とR9は、元素の周期律表の13又は15〜17族に属するヘテロ原子を任意に含む、3〜8原子からなる環を形成でき、置換基を有していてもよく；
Mは元素の周期律表(新IUPAC版)の3、4、5、6族又はランタニドもしくはアクチニド族に属する原子から選択される遷移金属原子であり、
Xは同一又は異なって、水素、ハロゲン、R10、OR10、OSO2CF3、OCOR10、SR10、NR102又はPR102基から選択されるリガンドであり、ここでR10は水素、C1-C20アルキル、C3-C20シクロアルキル、C2-C20アルケニル、C6-C20アリール、C7-C20アルキルアリール又はC7-C20アリールアルキル基(元素の周期律表の13又は15〜17族に属するヘテロ原子を任意に含む)から選択され、
pは1〜3の整数であり、金属Mの酸化状態マイナス2に等しい]のメタロセン化合物、及び
(B) アルモキサン及び/又はアルキルメタロセンカチオンを形成し得る化合物
を接触させて得られる生成物からなる触媒の存在下でのエチレン及び任意に1以上のオレフィンの重合反応からなる、エチレンポリマーの製造方法。
【請求項２】  Aが硫黄であり、BがCH基である請求項１による方法。
【請求項３】  方法が、プロピレン、1-ブテン、1-ペンテン、1-ヘキセン、4-メチル-1-ペンテン、1-オクテン、1-デセン及び1-ドデセンから選択されるα-オレフィンの存在下で行なわれ、α-オレフィン由来単位のモル含量が0〜60％である請求項１又は２による方法。
【請求項４】  方法が、環状コモノマーの存在下で行われる請求項３による方法。
【請求項５】  エチレン由来単位の含量が約35モル％〜85モル％、C4-C10αオレフィン由来単位の含量が約10モル％〜60モル％、C4-C30ポリエン由来単位の含量が約0.1モル％〜5モル％であり、以下の特性：
(A) コポリマーにおけるα-オレフィンのモル％含量(％α)及び比EαE/(EαE＋ααE＋ααα)[EαE、ααE及びαααは、それぞれコポリマーにおいて配列エチレン/α-オレフィン/エチレン、α-オレフィン/α-オレフィン/エチレン及びα-オレフィン/α-オレフィン/α-オレフィンを示す]が、次の関係
0.01％α＋EαE/(EαE＋ααE＋ααα)≧1
を満たし、
(B) ポリマー鎖中のCH2基の2％未満が配列(CH2)n [nは偶数の整数]である
を有し、反応比r1r2(r1はα-オレフィンの反応比、ｒ2はエチレンの反応比である)の積が0.2より低い、エチレンとプロピレン及びポリエンとのコポリマー。
【請求項６】  式(I) : SiR1R2LQMXp (I)
[式中、R1、R2、L、Q、M、X及びpは請求項１に記載の意味を有する]のメタロセン化合物。
【手続補正書】
【提出日】平成19年12月11日(2007.12.11)
【手続補正１】
【補正対象書類名】明細書
【補正対象項目名】特許請求の範囲
【補正方法】変更
【補正の内容】
【特許請求の範囲】
【請求項１】  ポリカーボネート、少なくとも１種の衝撃変性剤、少なくとも１種のリン含有耐炎剤、および高純度タルクを含有し、該タルクがタルクに対して各成分ＭｇＯ含有量30.5〜32重量％、ＳｉＯ2含有量60〜62.5重量％およびＡｌ2Ｏ3含有量0.7重量％未満であることを特徴とし、前記タルクがさらに、少なくとも50％重量のタルクでの最大直径2.5μm以下を有するタルク粒子(ｄ502.5μm以下)で特徴付けられる、組成物。
【請求項２】  少なくとも１種の芳香族ポリカーボネート40〜98重量％、少なくとも１種のグラフトポリマー0.5〜50重量％、少なくとも１種のリン含有耐炎剤0.5〜40重量％、およびタルク0.05〜40重量％を含有する、請求項１記載の組成物。
【請求項３】  衝撃変性剤として、少なくとも１種のビニルモノマー5〜95重量％の、ガラス転移温度10℃未満の少なくとも１種のグラフトベース95〜5重量％への、１種またはそれ以上のグラフトポリマーを含有する、請求項１〜２いずれかに記載の組成物。
【請求項４】  モノおよびオリゴリン酸またはリン酸エステル、ホスホネートアミンおよびホスファゼンの群から選択される、少なくとも１種のリン含有耐炎剤を含有する、請求項１〜３いずれかに記載の組成物。
【請求項５】  一般式(IV)
【化１】
2003518539.tif 000001
式中、Ｒ1、Ｒ2、Ｒ3およびＲ4は、互いに独立して、必要に応じてハロゲン化されたＣ１−Ｃ８アルキル、Ｃ5−Ｃ6シクロアルキル、Ｃ6−Ｃ20アリールまたはＣ7−Ｃ12アラルキルであり、それぞれ必要に応じてアルキルおよび/またはハロゲンで置換されていてもよく、
置換分ｎは互いに独立して０または１であり、
ｑは０〜３０を表し、および
Ｘは、炭素数6〜30の単核または多核芳香族基、または炭素数2〜30を有する直鎖状もしくは分枝状脂肪族基を表し、ＯＨ置換されていても８までのエーテル結合を含んでいてもよい、
の、少なくとも１種のリン化合物を耐炎剤として含有する、請求項１〜４いずれかに記載の組成物。
【請求項６】  式
【化２】
2003518539.tif 000002
式中、ｑは0.3〜10である、
の化合物を耐燃剤として含有する、請求項１〜５いずれかに記載の組成物。
【請求項７】  たれ防止剤としてフッ素化ポリオレフィンを含有する、請求項１〜６いずれかに記載の組成物。
【請求項８】  たれ防止剤としてフッ素化ポリオレフィンをエマルジョンまたはバルクＡＢＳまたはそれらの混合物またはビニル(コ)ポリマーとの凝集物、プレコンパウンドまたはマスターバッチの形態で含有する、請求項７記載の組成物。
【請求項９】  少なくとも１種の芳香族ポリカーボネート50〜90重量％、衝撃変性剤としてエマルジョンまたはバルクＡＢＳまたはそれらの混合物1.5〜25重量％、少なくとも１種の請求項１１記載の耐炎剤2〜20重量％、ビニル(コ)ポリマー0〜20重量％、および請求項１記載のタルク1〜20重量％を含有し、そして成分の合計が100である、ポリカーボネート組成物。
【請求項１０】  肉厚1.5mm以下でのUL94V試験をV-0でパスすることを特徴とする、請求項１〜９いずれかに記載のポリカーボネート組成物。
【請求項１１】  各種の成形物品および成形品の製造における、請求項１〜１０いずれかに記載のポリカーボネート組成物の使用。
【請求項１２】  請求項１〜１０いずれかに記載のポリカーボネート組成物から得られる、成形物品および成形品。
【手続補正２】
【補正対象書類名】明細書
【補正対象項目名】００９８
【補正方法】変更
【補正の内容】
【００９８】
フッ素化ポリオレフィンは、グラフトポリマーＢまたは好ましくはスチレン/アクリロニトリルベースのコポリマーを有するプレコンパウンドの形態で使用され得る。フッ素化ポリオレフィンは、粉末の形態で、グラフトポリマーまたはコポリマーの粉末または顆粒と混合され、一般に208〜330℃の温度で、インターナルミキサー、押出機および２軸スクリューなどの通常使用される装置などで溶融コンパウンドされる。 
【手続補正３】
【補正対象書類名】明細書
【補正対象項目名】０１００
【補正方法】変更
【補正の内容】
【０１００】
凝固物、プレコンパウンドおよびマスターバッチは、通常、フッ素化ポリオレフィンの固形分5〜95重量％、好ましくは7〜60重量％を有する。
【手続補正書】
【提出日】平成19年12月13日(2007.12.13)
【手続補正１】
【補正対象書類名】明細書
【補正対象項目名】特許請求の範囲
【補正方法】変更
【補正の内容】
【特許請求の範囲】
【請求項１】
式Ｉ
【化１】
2003518516.tif 000001
で示され、式中
Ｍ1がホウ素であり、
ｘが４であり、
ｙが２であり、
Ａが窒素であり、
Ｒ1が相互に同一であっても異なってもよく、それぞれＣ6−Ｃ40ハロアリール、Ｃ6−Ｃ40アリールオキシ、Ｃ7−Ｃ40アリールアルキル、Ｃ7−Ｃ40ハロアリールアルキル、Ｃ7−Ｃ40ハロアルキルアリールまたはＣ4−Ｃ40シクロアルキルを意味し、
Ｒ2が相互に同一であっても異なってもよく、それぞれＣ1−Ｃ6アルキルを意味し、
Ｒ3がＣ3−Ｃ9シクロアルキル（Ｃ1−Ｃ20アルキル、Ｃ1−Ｃ20ハロアルキル、Ｃ1−Ｃ10アルコキシ、Ｃ6−Ｃ40ハロアリール、Ｃ7−Ｃ40アルキルアリール、Ｃ7−Ｃ40アリールアルキル、Ｃ7−Ｃ40ハロアリールアルキルまたはＣ7−Ｃ40ハロアルキルアリールで置換されていてもよい）またはＣ7−Ｃ20アルキルアリールを意味し、
Ｒ4が水素原子を意味する化合物。
【請求項２】
Ｒ3がＣ3−Ｃ9シクロアルキルまたはＣ7アルキルアリールである請求項１に記載の化合物。
【請求項３】
Ｎ，Ｎ−ジメチルシクロヘキシルアンモニウムテトラキス（ペンタフルオロフェニル）ボレート、
Ｎ，Ｎ−ジエチルシクロヘキシルアンモニウムテトラキス（ペンタフルオロフェニル）ボレート、
Ｎ，Ｎ−ジイソプロピルシクロヘキシルアンモニウムテトラキス（ペンタフルオロフェニル）ボレート、
Ｎ，Ｎ−ジエチルベンジルアンモニウムテトラキス（ペンタフルオロフェニル）ボレート、
Ｎ，Ｎ−ジイソプロピルベンジルアンモニウムテトラキス（ペンタフルオロフェニル）ボレート、または
Ｎ，Ｎ−ジメチルベンジルアンモニウムテトラキス（ペンタフルオロフェニル）ボレートである、請求項１または２に記載の式Ｉの化合物。
【請求項４】
請求項１〜３のいずれかに記載の１種類以上の化合物を、１種類以上のオレフィンの重合に用いられる触媒組成物を製造するために使用する方法。
【請求項５】
Ａ）少なくとも１種類の有機金属遷移金属化合物、
Ｂ）少なくとも１種類の式ＩＶ
【化２】
2003518516.tif 000002

で示され、式中、Ｒ20はそれぞれ同一であっても異なっていても良く、ハロゲン、水素原子、Ｃ1−Ｃ20アルキル、Ｃ1−Ｃ20ハロアルキル、Ｃ6−Ｃ20アリール、Ｃ6−Ｃ20ハロアリール、Ｃ7−Ｃ40アリールアルキル、Ｃ7−Ｃ40ハロアリールアルキル、Ｃ7−Ｃ40アルキルアリール、またはＣ7−Ｃ40ハロアルキルアリールを意味する化合物、
Ｃ）少なくとも１種類の担体成分、および
Ｄ）請求項１〜３のいずれかに記載の少なくとも１種類の化合物、を含む触媒組成物。
【請求項６】
少なくとも１種類のメタロセン化合物を有機金属遷移金属化合物として使用する請求項５に記載の触媒組成物。
【請求項７】
請求項５または６に記載の触媒組成物をポリオレフィンの製造のために使用する方法。
【請求項８】
請求項５または６に記載の触媒組成物の存在下に１種類以上のオレフィンを重合させることによるポリオレフィンの製造方法。